(57)【要約】【課題】ハウジング等の外径側部材１の横孔１ａ内に略水平姿勢にした回転軸２を、フローティングブッシュ５を介して回転自在に支持させる構造において、外径側部材１の給油孔から潤滑油をフローティングブッシュ５の外径側および内径側へ効率よく供給させるようにする。【解決手段】外径側部材１に、その横孔１ａ内へ潤滑油を導くための給油孔７が、またフローティングブッシュ５に、その厚み方向を連通する貫通孔８が、それぞれ設けられている。給油孔７の内径側開口および貫通孔８の外径側開口が、回転軸２の回転方向の下流側へ向くように傾斜されている。【選択図】図２
2007309346.tif 000002
【特許請求の範囲】
【請求項１】
外径側部材に設けられる横孔内に略水平姿勢にした回転軸を、フローティングブッシュを介して回転自在に支持した構造であって、
前記外径側部材に、その横孔内へ潤滑油を供給するための給油孔が、また前記フローティングブッシュに、その厚み方向に貫通する貫通孔が、それぞれ設けられていて、
前記給油孔の内径側開口および前記貫通孔の外径側開口が、前記回転軸の回転方向下流側へ向くようにそれぞれ傾斜されていることを特徴とする回転軸支持構造。
【請求項２】
請求項１に記載の回転軸支持構造において、前記給油孔の内径側開口および前記貫通孔の外径側開口の傾斜角度は、前記回転軸の実用回転域において前記給油孔から放出されて前記貫通孔へ流入する潤滑油の流れ角を２０度以上８０度未満とするように設定されることを特徴とする回転軸支持構造。
【請求項３】
請求項１または２に記載の回転軸支持構造において、前記給油孔の内径側開口の内径が、前記貫通孔の外径側開口の内径と同等かそれより小さく設定されることを特徴とする回転軸支持構造。
【発明の詳細な説明】
【技術分野】
【０００１】
本発明は、ハウジング等の外径側部材の横孔内に略水平姿勢にした回転軸を、フローティングブッシュを介して回転自在に支持させる構造に関する。この回転軸としては、例えば排気ガスタービン過給機等において軸方向一端側にタービンホイールがまた軸方向他端側にコンプレッサホイールが設けられる回転軸や、その他の工作機械等の回転軸等が挙げられる。
【背景技術】
【０００２】
例えば図６および図７に示すように、ハウジング等の外径側部材５０の横孔５１内に円筒形のフローティングブッシュ５２を介して回転軸５３を略水平姿勢で回転自在に支持させるような構造において、フローティングブッシュ５２の潤滑や冷却を行うために、外径側部材５０に、横孔５１内に潤滑油を供給するための給油孔５４を設け、また、フローティングブッシュ５２の円周等間隔の複数箇所（図では四箇所）に、給油孔５４から吐出される潤滑油をフローティングブッシュ５２と回転軸５３との対向隙間へ導くための貫通孔５５を設けている。
【０００３】
なお、給油孔５４は、横孔５１の上側に鉛直方向に沿うように設けられており、また、貫通孔５５は、フローティングブッシュ５２の回転中心Ｏから放射方向に伸びる直線Ｙに沿って厚み方向に貫通するように設けられている。
【０００４】
このような構成では、下記する三つの理由により、フローティングブッシュ５２の内径側に潤滑油を供給しにくくなっているために、フローティングブッシュ５２と回転軸５３との間の潤滑、冷却作用が不足することが懸念される。
【０００５】
第１に、給油孔５４から吐出された潤滑油がフローティングブッシュ５２の外径側でフローティングブッシュ５２の回転方向の同一方向と反対方向とに分流されるために、フローティングブッシュ５２の回転方向と反対方向へ流れる潤滑油が、次に給油孔５４から吐出される潤滑油に衝突して、給油孔５４の回転方向上流側に潤滑油が滞留しやすくなるなど、潤滑油の流れが悪くなる。
【０００６】
第２に、フローティングブッシュ５２の外径側に供給される潤滑油は、フローティングブッシュ５２が回転軸５３と連れ回りする関係より、図８に示すような速度三角形が成立し、フローティングブッシュ５２の貫通孔５５に入りにくくなる。なお、図８において、Ｕはフローティングブッシュ５２の回転方向と速度を表すベクトル、Ｃは給油孔５４からの潤滑油の吐出方向と速度を表すベクトル、Ｗは貫通孔５５に対する潤滑油の相対的な流入方向と速度を表すベクトル、αは潤滑油の相対的な流れ角である。但し、前記各速度は、任意であり、それに応じて流れ角αが変わる。
【０００７】
第３に、貫通孔５５に流入した潤滑油には、フローティングブッシュ５２の回転遠心力が作用するために、貫通孔５５内の潤滑油がフローティングブッシュ５２の内径側へと進みにくくなる。
【０００８】
このような構成において、例えば図６および図７中に仮想線で示すように、外径側部材５０の横孔５１内周面において給油孔５４の内径側開口の周囲に陥没部５６を設けることにより、フローティングブッシュ５２の外径側に供給された潤滑油を、フローティングブッシュ５２の貫通孔５５に入れやすくしようとすることが考えられている。
【０００９】
しかしながら、その場合、陥没部５６を形成するための加工が面倒でコストアップを招くだけことに加えて、外径側部材５０の横孔５１内周面がフローティングブッシュ５２の案内面となる関係より、フローティングブッシュ５２の外周面が偏摩耗しやすくなることが懸念される。しかも、陥没部５６を設けても、期待する程の効果を得ることができないと言える。
【００１０】
ところで、上述したような外径側部材の給油孔を回転方向上流側または下流側に向けるよう傾斜させるようにしたものがある（例えば特許文献１参照。）。この特許文献１には、上述した陥没部を無くすことも記載されている。
【００１１】
この特許文献１では、給油孔から放出される潤滑油をフローティングブッシュの回転方向と反対方向または同方向に流すことによって、フローティングブッシュの回転を減速または増速させることを目的としている。
【特許文献１】特開平５−７１５３７号公報
【発明の開示】
【発明が解決しようとする課題】
【００１２】
上記特許文献１では、外径側部材に設けられる給油孔を傾斜させた構成としているが、前記給油孔の傾斜の向きは、フローティングブッシュの回転を減速させる場合に給油孔を回転方向上流側に向けて傾斜させるようにし、また、フローティングブッシュの回転を増速させる場合に給油孔を回転方向下流側に向けて傾斜させるようにする必要がある。
【００１３】
このように、上記特許文献１には、そもそもフローティングブッシュの内径側に潤滑油を効率よく供給させようという目的思想はない。
【００１４】
仮に、上記特許文献１において、外径側部材に設けられる給油孔の傾斜の向きを回転方向上流側とした場合、前記給油孔からフローティングブッシュの外径側で回転方向上流側に供給された潤滑油が、フローティングブッシュの回転に伴い前記給油孔の存在する側へ送られるようになるために、この潤滑油が後で給油孔から吐出される潤滑油と衝突することになって軸方向両側へ流出するようになる。
【００１５】
このように上記特許文献１の構成では、給油孔からフローティングブッシュの外径側に吐出した潤滑油をフローティングブッシュの貫通孔へ効率よく入れることなど、到底不可能であると考えられる。
【００１６】
本発明は、ハウジング等の外径側部材に設けられる横孔内に略水平姿勢にした回転軸を、フローティングブッシュを介して回転自在に支持した構造において、外径側部材の給油孔から潤滑油をフローティングブッシュの外径側および内径側に効率よく供給可能とすることを目的としている。
【課題を解決するための手段】
【００１７】
本発明は、外径側部材に設けられる横孔内に略水平姿勢にした回転軸を、フローティングブッシュを介して回転自在に支持した構造であって、前記外径側部材に、その横孔内へ潤滑油を供給するための給油孔が、また前記フローティングブッシュに、その厚み方向に貫通する貫通孔が、それぞれ設けられていて、前記給油孔の内径側開口および前記貫通孔の外径側開口が、前記回転軸の回転方向下流側へ向くようにそれぞれ傾斜されていることを特徴としている。
【００１８】
この構成によれば、下記する三つの理由により、フローティングブッシュの外径側および内径側に潤滑油を効率よく供給することが可能になって、外径側部材および回転軸とフローティングブッシュとの間の潤滑、冷却作用が向上するようになる。これにより、外径側部材および回転軸とフローティングブッシュとの間のフリクションロスを軽減できるようになり、それらの耐焼付き性および耐摩耗性の向上、ならびに回転軸の回転特性の向上に貢献できるようになる。
【００１９】
第１に、外径側部材の給油孔へ供給される潤滑油を、フローティングブッシュと外径側部材との対向隙間において回転軸の回転方向下流側つまり回転方向と同じ向きに斜めに吐出させるようにしているから、給油孔から順次吐出される潤滑油のすべての流れが円周方向の一方向になる。これにより、フローティングブッシュの外径側に供給された潤滑油がフローティングブッシュの回転抵抗にならずに済み、フローティングブッシュ５の外径側のクリアランス内で前記回転方向にスムーズに流れるようになる。
【００２０】
第２に、フローティングブッシュが回転軸と連れ回ることに伴い、フローティングブッシュの貫通孔の外径側開口が、外径側部材の給油孔における内径側開口を通り過ぎる毎に、フローティングブッシュの外径側に供給された潤滑油を迎え入れやすい角度となるから、貫通孔に潤滑油がスムーズに入るようになる。
【００２１】
第３に、貫通孔内に入った潤滑油は、フローティングブッシュの回転遠心力を受けるものの、この回転遠心力が、貫通孔の傾斜している内壁面によって潤滑油を貫通孔の内径側開口へ向けて付勢する力として変換されるから、フローティングブッシュの内径側へ潤滑油がスムーズに供給されるようになる。
【００２２】
ところで、上述したように潤滑油がフローティングブッシュの貫通孔にスムーズに入るようになることに伴い、この貫通孔の少なくとも外径側開口の内径を必要以上に大きくする必要がなくなる。これにより、フローティングブッシュの貫通孔における外径側開口の面積を可及的に小さくすることが可能になるから、フローティングブッシュの受圧面積が大きくなり、フローティングブッシュの負荷能力の向上に貢献できるようになる。
【００２３】
但し、フローティングブッシュの負荷能力を必要以上に高める必要がないのであれば、フローティングブッシュの貫通孔における外径側開口の面積を小さくせずに、その分、フローティングブッシュの軸方向幅を小さくして重量を軽減することが可能になり、回転軸の回転特性を向上するうえで有利となる。
【００２４】
好ましくは、前記給油孔の内径側開口および前記貫通孔の外径側開口の傾斜角度は、前記回転軸の実用回転域において前記給油孔から放出されて前記貫通孔へ流入する潤滑油の流れ角を２０度以上８０度未満とするように設定される。
【００２５】
この構成によれば、フローティングブッシュの外径側および内径側への潤滑油の供給量を必要十分に確保することが可能になる。これにより、フローティングブッシュの内径側における潤滑油の過不足を防止できるようになる等、回転軸とフローティングブッシュとの間のフリクションロスを抑制しつつ攪拌抵抗を軽減することが可能になる。
【００２６】
好ましくは、前記給油孔の内径側開口の内径が、前記貫通孔の外径側開口の内径と同等かそれより小さく設定される。
【００２７】
この構成によれば、外径側部材とフローティングブッシュとの当接面積を可及的に大きくすることが可能になるので、フローティングブッシュの受圧面積が大きくなり、フローティングブッシュの負荷能力の向上に貢献できるようになる。但し、負荷能力を拡大しなくてよいならば、フローティングブッシュの軸方向幅を小さくして重量を軽減することが可能になるから、回転軸の安定性向上に貢献できるようになる。
【発明の効果】
【００２８】
本発明によれば、外径側部材の給油孔から潤滑油をフローティングブッシュの外径側および内径側に効率よく供給することが可能になる。これにより、外径側部材および回転軸に対するフローティングブッシュの摺接部分の潤滑、冷却作用が向上するようになるので、外径側部材および回転軸とフローティングブッシュとの間のフリクションロスを軽減することができ、それらの耐焼付き性および耐摩耗性の向上、ならびに回転軸の回転特性向上に貢献できるようになる。
【発明を実施するための最良の形態】
【００２９】
以下、本発明の実施形態を図面に基づいて説明する。図１から図５に、本発明の一実施形態を示している。この実施形態では、排気ガスタービン過給機に本発明を適用した場合を例に挙げている。
【００３０】
図１は、本発明を適用した排気ガスタービン過給機の要部を示す縦断面図である。図中、１はセンターハウジングと呼ばれる外径側部材、２はタービンシャフトと呼ばれる回転軸である。
【００３１】
回転軸２の軸方向一端側には、タービンホイール３が一体に形成されており、この回転軸２の軸方向他端側には、それと別体のコンプレッサホイール４が一体的に取り付けられている。
【００３２】
この回転軸２が、外径側部材１の横孔１ａ内に略水平姿勢でフローティングブッシュ５を介して回転自在に支持されている。この実施形態では、回転軸２の軸方向中間領域における軸方向両端にそれぞれフローティングブッシュ５が配置されている。
【００３３】
左右のフローティングブッシュ５の間には、それらの間隔を保持するためのスペーサ６が介装されている。
【００３４】
外径側部材１において横孔１ａの上側の一箇所には、横孔１ａ内へ潤滑油を導くための給油孔７が設けられている。
【００３５】
外径側部材１の給油孔７は、回転軸２の中心軸線Ｏと平行に設けられかつ図示しない潤滑油ポンプから供給される潤滑油が導入される上流部７ａと、この上流部７ａの軸方向両端の二箇所からそれぞれ横孔１ａへ向けて開放される下流部７ｂ，７ｂとを組み合わせたような構成になっている。
【００３６】
また、両フローティングブッシュ５は、一般的に公知のすべり軸受に用いられる適宜の金属や樹脂等で円筒形に形成されており、その円周等間隔の複数箇所（例えば四箇所）には、給油孔７へ導入される潤滑油をフローティングブッシュ５と回転軸２との対向隙間へ導くための貫通孔８が厚み方向に貫通するように設けられている。
【００３７】
ここで、本発明を適用した部分について詳細に説明する。
【００３８】
図２は、図１の（２）−（２）線断面の矢視図である。この図に示すように、外径側部材１の給油孔７の下流部７ｂの内径側開口およびフローティングブッシュ５の貫通孔８の外径側開口は、共に、回転軸２の回転方向（図２の矢印Ａで示す時計回り方向）の下流側へ向くように傾斜されている。
【００３９】
具体的に、給油孔７の下流部７ｂは、その中心軸線Ｘ１が横孔１ａの中心から放射方向に伸びる直線Ｙに対し所定角度θ１傾けられている。
【００４０】
一方、フローティングブッシュ５に設ける貫通孔８は、その中心軸線Ｘ２がフローティングブッシュ５の回転中心Ｏから放射方向に伸びる直線Ｙに対し所定角度θ２傾けられている。
【００４１】
なお、この実施形態では、給油孔７の軸方向途中における内径が、貫通孔８の軸方向途中における内径と同等とされている。
【００４２】
図３は、図２の給油経路における速度三角形を示す説明図である。図中、Ｕはフローティングブッシュ５の回転方向と速度を表すベクトル、Ｃは給油孔７からの潤滑油の吐出方向と速度を表すベクトル、Ｗは貫通孔８に対する潤滑油の相対的な流入方向と速度を表すベクトル、αは潤滑油の相対的な流れ角度である。
【００４３】
図３において、本実施形態に関する速度三角形を実線で示しており、従来例に関する速度三角形を仮想線つまり二点鎖線で示している。従来例としては、図６から図８に示したもの、つまり、外径側部材１の給油孔７およびフローティングブッシュ５の貫通孔８を、共に、フローティングブッシュ５の回転中心Ｏから放射方向に伸びる直線Ｙに沿わせるように形成したものとしている。
【００４４】
なお、前記フローティングブッシュ５の回転速度や給油孔７からの潤滑油の吐出速度等は、任意であり、それに応じて流れ角αが変わる。この潤滑油の流れ角αは、回転軸２の実用回転域において２０度以上８０度未満とするのが好ましい。この点を考慮し、給油孔７の下流部７ｂの中心軸線Ｘ１および貫通孔８の中心軸線Ｘ２の傾斜角度θ１，θ２を、セッティングするのが好ましい。
【００４５】
次に、上述したような回転軸２の支持構造を有する排気ガスタービン過給機における給油時の動作について説明する。
【００４６】
回転軸２が図２の矢印Ａで示す時計回り方向に所定回転数以上で回転しているときに、フローティングブッシュ５が回転軸２と同方向に連れ回りすることになる。
【００４７】
この状態において、図示しない潤滑油ポンプから外径側部材１の給油孔７に潤滑油を所定圧力で供給すると、給油孔７の下流部７ｂ，７ｂから横孔１ａ内周面とフローティングブッシュ５との対向隙間に噴射されることになる。
【００４８】
このとき、潤滑油は、フローティングブッシュ５の外径側において回転軸２およびフローティングブッシュ５の回転方向下流側に向けて回転方向と同じ向きに斜めに噴射されるので、給油孔７から順次吐出される潤滑油のすべての流れが円周方向の一方向になる。これにより、フローティングブッシュ５の外径側に供給された潤滑油がフローティングブッシュ５の回転抵抗にならずに済み、フローティングブッシュ５の外径側のクリアランス内で前記回転方向にスムーズに流れるようになる。そのため、外径側部材１に対するフローティングブッシュ５の摺接部分を効率よく潤滑、冷却することができ、そこのフリクションロスを軽減できるようになる。
【００４９】
しかも、フローティングブッシュ５が回転軸と連れ回ることに伴い、フローティングブッシュ５の貫通孔８の外径側開口が、外径側部材１の給油孔７の下流部７ｂにおける内径側開口を通り過ぎる毎に、フローティングブッシュ５の外径側に供給された潤滑油を迎え入れやすい角度になるから、貫通孔８に潤滑油がスムーズに入るようになる。
【００５０】
このとき、フローティングブッシュ５の貫通孔８が回転軸２の回転方向下流側に向けて傾斜しているので、潤滑油が貫通孔８内に抵抗少なく入ることになる。しかも、フローティングブッシュ５の貫通孔８の外径側開口が楕円形になっていて、その開口面積が貫通孔８の軸方向途中での断面積よりも増大されているので、貫通孔８への潤滑油流入量が増す結果となる。
【００５１】
このように、フローティングブッシュ５の貫通孔８に潤滑油を効率よく導入させることができるようになっている。
【００５２】
そして、貫通孔８に流入した潤滑油は、フローティングブッシュ５と回転軸２との対向隙間へと供給されて、フローティングブッシュ５と回転軸２との摺接部分を潤滑、冷却する。
【００５３】
このとき、貫通孔８内に流入した潤滑油は、フローティングブッシュ５の回転遠心力を受けるものの、この回転遠心力が、貫通孔８の傾斜している内壁面によって潤滑油を貫通孔８の内径側開口へ向けて付勢する力として変換されるから、フローティングブッシュ５の内径側へ潤滑油がスムーズに供給されるようになる。
【００５４】
以上説明したように、外径側部材１の給油孔７とフローティングブッシュ５の貫通孔８とを工夫することにより、フローティングブッシュ５の外径側および内径側に潤滑油を効率よく供給することが可能になって、外径側部材１および回転軸２とフローティングブッシュ５との間の潤滑、冷却作用が向上するようになる。
【００５５】
これにより、外径側部材１および回転軸２とフローティングブッシュ５との間のフリクションロスを軽減できるようになり、それらの耐焼付き性および耐摩耗性の向上、ならびに回転軸の回転特性の向上に貢献できるようになる。
【００５６】
しかも、上述したようにフローティングブッシュ５の貫通孔８に潤滑油を流入しやすくなることに伴い、この貫通孔８における少なくとも外径側開口の内径寸法を小さくすることが可能になる。
【００５７】
これにより、フローティングブッシュ５の貫通孔８における外径側開口の面積を可及的に小さくすることが可能になるから、外径側部材とフローティングブッシュとの当接面積を可及的に大きくすることが可能になる。そのため、フローティングブッシュ５の受圧面積が大きくなり、フローティングブッシュ５の負荷能力の向上に貢献できるようになる。
【００５８】
但し、フローティングブッシュ５の負荷能力を必要以上に高める必要がないのであれば、フローティングブッシュ５の貫通孔８における外径側開口の面積を小さくせずに、その分、例えばフローティングブッシュ５の軸方向幅を小さくして重量を軽減することが可能になり、回転軸２の回転特性を向上するうえで有利となる。
【００５９】
実質的には、フローティングブッシュ５の貫通孔８の内径寸法は、フローティングブッシュ５の内径側に対する潤滑油の必要供給量と、フローティングブッシュ５の外径側に対する潤滑油の必要供給量とのバランスを考慮して、適宜設定すればよいのである。
【００６０】
さらに、フローティングブッシュ５の内径側へ潤滑油を効率よく供給できるようになることに伴い、フローティングブッシュ５の内径側のクリアランスを小さくすることが可能となる。これにより、回転軸２の回転安定性が向上してタービンホイール３およびコンプレッサホイール４の回転振れを低減できる等、排気ガスタービン過給機の性能向上に貢献できるようになる。
【００６１】
以下、本発明の他の実施形態を説明する。
【００６２】
（１）上記実施形態では、本発明を排気ガスタービン過給機に適用した例を挙げたが、それ以外のいろいろな場所に用いられる回転軸の支持構造に本発明を適用することができる。
【００６３】
（２）上記実施形態では、フローティングブッシュ５に設ける貫通孔８の数は特に限定されず、必要に応じて適宜決定すればよい。
【００６４】
（３）上記実施形態では、フローティングブッシュ５の貫通孔８を一直線形状としているが、図４および図５に示すような形状とすることが可能である。
【００６５】
図４に示す例では、フローティングブッシュ５の貫通孔８について、その途中から内径側開口に至るまでの内径側領域をフローティングブッシュ５の回転中心から放射方向に伸びる直線に沿うように形成することにより、全体的な縦断面形状が略「く」の字形になっている。
【００６６】
この場合、貫通孔８から内径側へ導入される潤滑油が、回転軸２の外周で回転軸２の円周方向両方向へ分流されることになり、フローティングブッシュ５と回転軸２との摺接部分の潤滑、冷却作用のさらなる向上に貢献できる。
【００６７】
図５に示す例では、フローティングブッシュ５の貫通孔８をフローティングブッシュ５の回転中心Ｏから放射方向に伸びる直線Ｙに沿うように形成するとともに、その外径側開口においてフローティングブッシュ５の回転方向下流側領域をさらに回転方向下流側へ拡げることにより、当該貫通孔８の外径側開口つまり潤滑油の受け入れ口を拡大するような形状になっている。図では、拡大部に符号８ａを付している。
【００６８】
この場合でも、外径側部材１の給油孔７からフローティングブッシュ５の外径側へ噴射される潤滑油がフローティングブッシュ５の貫通孔８へ導入されやすくなるので、フローティングブッシュ５の内径側への潤滑油供給作用が、上記実施形態より劣るものの、単純に貫通孔８をフローティングブッシュ５の回転中心Ｏから放射方向に伸びる直線Ｙに沿うように形成する場合に比べて向上することが可能になる。
【図面の簡単な説明】
【００６９】
【図１】本発明に係る回転軸支持構造を適用した排気ガスタービン過給機の一実施形態の要部を示す縦断面図である。
【図２】図１の（２）−（２）線断面の矢視図である。
【図３】図２の給油経路における速度三角形を示す説明図である。
【図４】本発明の他の実施形態で、図２に対応する図である。
【図５】本発明の応用例で、図２に対応する図である。
【図６】従来例の回転軸支持構造の縦断面図である。
【図７】図６の（７）−（７）線断面の矢視図である。
【図８】図７の給油経路における速度三角形を示す説明図である。
【符号の説明】
【００７０】
１      外径側部材
１ａ    ハウジングの横孔
２      回転軸
５      フローティングブッシュ
７      ハウジングの給油孔
７ａ    給油孔の上流部
７ｂ    給油孔の下流部
８      フローティングブッシュの貫通孔
Ｏ      フローティングブッシュの回転中心
Ｘ１      給油孔の下流部の中心軸線
Ｘ２      貫通孔の中心軸線
Ｙ      放射方向に伸びる直線
【図１】
2007309346.tif 000003
【図２】
2007309346.tif 000004
【図３】
2007309346.tif 000005
【図４】
2007309346.tif 000006
【図５】
2007309346.tif 000007
【図６】
2007309346.tif 000008
【図７】
2007309346.tif 000009
【図８】
2007309346.tif 000010